(57)【要約】【課題】円滑にコイルを電極に接続でき、かつ、電極の強度を高めることができるレンズ駆動装置を提供する。【解決手段】  レンズ駆動装置は、ベース１０と、レンズ群８０を保持するホルダ６０と、ホルダ６０に装着された磁石７０と、磁石７０に向き合うようにベース１０の側面に装着されたコイル２０と、コイル２０が接続される電極用のプリント基板４０と、ベース１０に一体的に形成されコイル２０の端部を留めるための突起１８とを備える。プリント基板４０は、ベース１０の側面に装着される。突起１８は、コイル２０の端部を突起１８に渡すとコイル２０の端部がプリント基板４０の電極４０ａ、４０ｂの上を通る位置に形成されている。【選択図】図４
2012002837.tif 000002
【特許請求の範囲】
【請求項１】
ベースと、
レンズを保持するホルダと、
前記ホルダに装着された磁石と、
前記磁石に向き合うように前記ベースの側面に装着されたコイルと、
前記コイルが接続される電極用の基板と、
前記ベースに一体的に形成され前記コイルの端部を留めるための突起と、を備え、
前記基板は、前記ベースの側面に装着され、
前記突起は、前記コイルの端部を前記突起に渡すと前記コイルの端部が前記基板の電極の上を通る位置に形成されている、
ことを特徴とするレンズ駆動装置。
【請求項２】
請求項１に記載のレンズ駆動装置において、
前記突起に前記コイルの端部が留められた後、前記コイルの端部と前記電極とが重なる位置に半田が付される、
ことを特徴とするレンズ駆動装置。  
【請求項３】
請求項２に記載のレンズ駆動装置において、
前記半田が付された後に、前記突起が切り取られる、
ことを特徴とするレンズ駆動装置。
【請求項４】
請求項３に記載のレンズ駆動装置において、
前記半田からはみ出した前記コイルの端部が切り取られる、
ことを特徴とするレンズ駆動装置。
【請求項５】
請求項１ないし４の何れか一項に記載のレンズ駆動装置において、
前記コイルは、前記ベースの上部の側面に沿って巻き付けられ、
前記基板は、前記コイルが巻き付けられた位置より下の前記ベースの側面に形成された凹部に嵌め込まれる、
ことを特徴とするレンズ駆動装置。
【請求項６】
請求項５に記載のレンズ駆動装置において、
前記突起は、前記凹部の形成位置下方の前記ホルダの下面から突出している、
ことを特徴とするレンズ駆動装置。
【発明の詳細な説明】
【技術分野】
【０００１】
本発明は、レンズ駆動装置に関し、特に、カメラモジュールに搭載されるレンズ駆動装置に用いて好適なものである。
【背景技術】
【０００２】
従来、携帯電話機等にはカメラモジュールが搭載されている。かかるカメラモジュールは、フォーカス調節のためにレンズ駆動装置を備えている。レンズ駆動装置は、制御信号に応じてレンズを光軸方向に変位させる。これにより、被写体に対するフォーカス調節が行われる。
【０００３】
レンズ駆動装置の一つとして、ムービングマグネット方式のレンズ駆動装置が知られている（たとえば、特許文献１）。この種のレンズ駆動装置では、レンズを保持するホルダに、磁石が装着される。ホルダは、ベースに対し、レンズの光軸方向に変位可能に支持される。ベースには、ホルダ側の磁石に向き合うようにコイルが配置される。コイルに電流を印加することにより生じる電磁駆動力によって、ホルダが磁石とともに、レンズの光軸方向に駆動される。
【先行技術文献】
【特許文献】
【０００４】
【特許文献１】特開２００８−１８５７４９号公報
【発明の概要】
【発明が解決しようとする課題】
【０００５】
上記レンズ駆動装置では、電極がベースに装着され、この電極にコイルが接続される。この場合、ベースの側面に孔が形成され、この孔に、電極用のピンが嵌め込まれる。こうして取り付けられたピンにコイルの端部が巻き付けられ、その部分に半田が付けられる。こうして、コイルと電極が接続される。
【０００６】
この構成では、ベースに孔を形成する手間が必要になる。また、ベースの肉厚は薄いため、ピンを孔に強固に保持させることができない。このため、コイルを巻き付けるときにピンが揺れ、コイルを円滑に装着できないとの問題が生じる。また、コイルをピンに装着した後も、ピンの装着部位に破損が生じる惧れもある。
【０００７】
本発明は、かかる課題を解消するために為されたものであり、円滑にコイルを電極に接続でき、かつ、電極の強度を高めることができるレンズ駆動装置を提供することを目的とする。
【課題を解決するための手段】
【０００８】
本発明の主たる態様に係るレンズ駆動装置は、ベースと、レンズを保持するホルダと、前記ホルダに装着された磁石と、前記磁石に向き合うように前記ベースの側面に装着されたコイルと、前記コイルが接続される電極用の基板と、前記ベースに一体的に形成され前記コイルの端部を留めるための突起とを備える。前記基板は、前記ベースの側面に装着される。前記突起は、前記コイルの端部を前記突起に渡すと前記コイルの端部が前記基板の電極の上を通る位置に形成される。
【０００９】
この構成によれば、たとえば、前記突起に前記コイルの端部を留めた後に、前記コイルの端部と前記電極とが重なる位置に半田を付けることにより、コイルの端部が電極に接続
される。ここで、突起はベースに一体的に形成されるため、コイルの端部を突起に留めるときに揺れることはなく、コイルの端部を円滑に突起に留めることができる。また、基板をベース側面に装着することで電極が構成されるため、ピンを孔に嵌めて電極とする場合に比べ、電極の機械的強度を高めることができる。
【発明の効果】
【００１０】
以上のとおり、本発明によれば、円滑にコイルを電極に接続でき、かつ、電極の強度を高めることができるレンズ駆動装置を提供することができる。
【００１１】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００１２】
【図１】実施の形態に係るレンズ駆動装置の構成を示す分解斜視図である。
【図２】実施の形態に係るベースの構成を示す図である。
【図３】実施の形態に係るホルダの構成を示す図である。
【図４】実施の形態に係るプリント基板に対するコイルの接続方法を示す図である。
【図５】実施の形態に係るレンズ駆動装置の組み立て過程を示す図である。
【図６】実施の形態に係るレンズ駆動装置の構成を示す断面図である。
【図７】実施の形態に係るレンズ駆動装置の動作を説明する図である。
【図８】実施の形態に係るカメラモジュールの構成を示す図である。
【図９】実施の形態の変更例に係るレンズ駆動装置の構成を示す図である。
【発明を実施するための形態】
【００１３】
以下、本発明の実施の形態について、図面を参照して説明する。
【００１４】
図１は、レンズ駆動装置の構成を示す分解斜視図である。図１（ａ）は、上側から見た分解斜視図、図１（ｂ）は、下側から見た分解斜視図である。
【００１５】
図１（ａ）、（ｂ）を参照して、レンズ駆動装置は、ベース１０と、コイル２０と、２つの磁性板３０と、プリント基板４０と、ベースカバー５０と、ホルダ６０と、磁石７０と、レンズ群８０と、シャフト９０と、カバー１００とを備えている。
【００１６】
ベース１０は、下面が開放された箱形状であって、平面視で、角が面取りされた正方形の形状を有する。ベース１０には、一続きのコイル２０が２段に分けて巻き付けられる。各段のコイル２０は、巻き方向が互いに逆になっている。コイル２０の外側面に磁性板３０、３０が接着される。また、ベース１０には、側面にプリント基板４０が装着される。このプリント基板４０に、コイル２０の２つの端部が半田付けされる。ベース１０の下面には、ベースカバー５０が装着される。
【００１７】
ホルダ６０には、レンズ群８０を収容するためのレンズ収容部６１が形成されている。レンズ群８０は、光軸が互いに一致するように、レンズ収容部６１に収容される。レンズ収容部６１にレンズ群８０が装着された後、レンズ収容部６１が下方からフィルタ（図示せず）によって塞がれる。このフィルタは、赤外線除去フィルタである。なお、レンズ群８０は、径が異なる４つのレンズ８１〜８４からなっている。
【００１８】
また、ホルダ６０には、４つの磁石装着部６４が形成されている。これら４つの磁石装着部６４は、レンズ群８０の光軸の周りに９０度の間隔で配される。また、レンズ群８０の光軸から各磁石装着部６４までの距離は同じである。これら磁石装着部６４に、それぞ
れ磁石７０が装着される。
【００１９】
４つの磁石７０は、たとえば、ネオジウム等からなる焼結磁石であり、片面にＮとＳが着磁された２極配置構造を有している。各磁石７０のサイズおよび磁気強度は互いに等しくなっている。４つの磁石装着部６４にそれぞれ磁石７０が装着されると、２つの磁石７０は、レンズ群８０の光軸に対して対称に配置され、残り２つの磁石７０もレンズ群８０の光軸に対して対称に配置される。
【００２０】
ホルダ６０には、対角の位置に、孔６３が形成されている。これら孔６３にシャフト９０が通されて、ホルダ６０がレンズの光軸方向に変位可能に支持される。シャフト９０は金属製の部材からなり、断面が円形である。
【００２１】
カバー１００は、平面視で、角が面取りされた正方形の形状を有する。平面視におけるカバー１００の外形は、ベース１０の外形と略等しい。また、平面視におけるカバー１００の内側面の形状は、コイル２０と磁性板３０、３０が装着されたベース１０の外形と略同じである。カバー１００には、光を通すための開口１０１が形成されている。
【００２２】
図２（ａ）は、ベース１０を上から見たときの斜視図、図２（ｂ）は、ベース１０を下から見たときの斜視図である。
【００２３】
図示の如く、ベース１０は、下面が開放された箱状の部材からなっている。ベース１０は、樹脂材料を射出成形することにより単一部材として一体的に形成されている。ベース１０の下面には、ベース１０内部にホルダ６０を挿入するための開口１１が形成されている。また、ベース１０の上面には、ホルダ６０の最上部を通すための開口１２が形成されている。さらに、ベース１０の上面には、対角の位置に、シャフト９０を嵌入するための孔１３が形成されている。
【００２４】
ベース１０の各側面には、それぞれ、磁石７０を通すための切欠き１４が形成されている。さらに、ベース１０の側面には、コイル２０を上下２段に分けるための仕切り１５が形成されている。
【００２５】
図２（ｂ）を参照して、ベース１０の一つの側面には、プリント基板４０を装着するための凹部１６が形成されている。凹部１６が形成された側面に、２つの切り溝１７が形成されている。図２（ｂ）の右側の仕切り１５には、高さが１段高い凸部１５ａが形成されている。また、凹部１６近傍の下面から、２つの突起１８が突出している。さらに、ベース１０の下面には、２つの窪み１９が形成されている。
【００２６】
図３は、ホルダ６０の構成を示す図である。同図（ａ）は、ホルダ６０を上から見たときの斜視図、同図（ｂ）は、ホルダ６０を下から見たときの斜視図、同図（ｃ）は同図（ａ）のＡ−Ａ’断面図、同図（ｄ）は、ホルダ６０を上から見たときの平面図である。
【００２７】
同図（ａ）、（ｂ）を参照して、ホルダ６０には、下方からレンズ群８０を収容するための円形のレンズ収容部６１が形成されている。レンズ収容部６１には、径の異なる４つのレンズ８１〜８４（図１（ａ）参照）が収容される。レンズ収容部６１は、これらレンズ８１〜８４の径に応じて、その径が段階的に小さくなっている。レンズ収容部６１には、径が変化する位置に、段部６１ａ〜６１ｄが形成されている。段部６１ａ〜６１ｄで区切られた内側面の径は、対応するレンズの径と略同じである。各段部６１ａ〜６１ｄに、それぞれ、レンズ８１〜８４が接着固定される。こうして、ホルダ６０には、４つのレンズが、光の入射側から径が小さい順に並ぶように保持される。
【００２８】
同図（ａ）に示すように、ホルダ６０の外側面は、レンズ収容部６１の内側面の形状が略反映された形状となっている。すなわち、ホルダ６０の外側面もまた、レンズ収容部６１の内側面と同様、光の入射側に向かって段階的に径が小さくなっている。ホルダ６０の上面には、光を通すための開口６２が形成されている。また、ホルダ６０の外側面には、対角の位置に、シャフト９０を通すための孔６３が形成されている。
【００２９】
さらに、ホルダ６０の外側面には、上記のように、４つの磁石装着部６４が形成されている。これら磁石装着部６４に、それぞれ磁石７０が装着される。なお、磁石装着部６４は、側面から見てＥ字の形状となっている。磁石装着部６４の天面と底面との間の段差６４ａには、磁石７０を磁石装着部６４に装着する際に、余分な接着剤が溜まる。
【００３０】
同図（ａ）、（ｃ）に示すように、磁石装着部６４は、ホルダ６０の外側面の最も下の段に乗るようにして形成されている。磁石装着部６４に磁石７０を装着すると、磁石７０の上面は、ホルダ６０外側面の上から２番目の平面Ｓ２より高く、最上面Ｓ１より低くなる。また、同図（ｄ）に示すように、４つの磁石装着部６４は、ホルダ６０の最下段の外周面よりも内側に配置されている。磁石装着部６４に磁石７０が装着されると、磁石７０は、最も径が大きいレンズ８４の径の範囲Ｗｄの内側に位置づけられる。
【００３１】
なお、レンズ群８０（図１参照）は、被写領域の光をイメージセンサ２００に適正に照射するために、４つのレンズ８１〜８４からなっている。レンズ８１は、被写領域の光を取り込むためのもので、曲率が小さくなっている。被写領域の光は、レンズ８１によって取り込まれ、小さく絞り込まれる。レンズ８２〜８４は、レンズ８１によって絞りこまれた光を、イメージセンサ２００のセンサ領域のサイズに適合するよう、徐々に拡張する。レンズ８２〜８４には、光の収差を抑制するためのレンズが含まれている。このような光学作用に基づき、レンズ群８０は４つのレンズ８１〜８４からなっており、これらレンズ８１〜８４の径は、互いに異なっている。
【００３２】
図４は、プリント基板４０に対するコイル２０の接続方法を示す斜視図である。
【００３３】
同図（ａ）に示すように、プリント基板４０が凹部１６に嵌め込まれ、接着固定される。次に、同図（ｂ）に示すように、コイル２０の端部２０ａ、２０ｂが、それぞれ、左右の突起１８に巻き付けられる。端部２０ａは、仕切り１５に設けられた凸部１５ａに引っ掛けられ、さらに、左の切り溝１７を通されて、左の突起１８に巻き付けられる。端部２０ｂは、右の切り溝１７を通されて、右の突起１８に巻き付けられる。これにより、端部２０ａ、２０ｂは、プリント基板４０の電極４０ａ、４０ｂに沿うようになる。なお、端部２０ａ、２０ｂは、絶縁用の被膜が剥がされている。
【００３４】
その後、同図（ｃ）に示すように、端部２０ａ、２０ｂと電極４０ａ、４０ｂの交差部分に半田２１が付され、端部２０ａ、２０ｂと電極４０ａ、４０ｂが互いに接続される。そして、同図（ｄ）に示すように、２つの突起１８が切断され、さらに、半田２１より突起１８側の端部２０ａ、２０ｂが切断される。こうして、プリント基板４０に対するコイル２０の接続が完了する。
【００３５】
組立時には、図１（ａ）、（ｂ）に示すように、ホルダ６０の磁石装着部６４に磁石７０を接着固定し、さらに、レンズ収容部６１にレンズ群８０を接着固定する。また、ベース１０にコイル２０を装着し、コイル２０の２つの側面に、それぞれ、磁性板３０を接着固定する。さらに、上記のようにベース１０にプリント基板４０を接着固定して、コイル２０をプリント基板４０に接続する。なお、図１（ｂ）には、突起１８が切断される前の状態が示されている。
【００３６】
しかる後、磁石７０とレンズ群８０が装着されたホルダ６０を、下方からベース１０に収容し、さらに、ベース１０の下面にベースカバー５０を装着する。
【００３７】
ベースカバー５０には、平面視においてベース１０の開口１１と略同じ形状の段部５１が形成され、この段部５１に、ホルダ６０の最下部を通すための開口５２が形成されている。また、段部５１には、対角の位置に、シャフト９０が嵌入する２つの孔５３が形成されている。さらに、ベースカバー５０には、ベース１０下面の窪み１９と嵌合する突起５４が形成されている。
【００３８】
ベースカバー５０は、段部５１をベース１０の開口１８に嵌合させつつ、２つの突起５４をベース１０の２つの窪み１９に嵌合させることにより、ベース１０の下面に取り付けられる。さらに、ベースカバー５０とベース１０の接合部に接着材が付与され、ベースカバー５０がベース１０に接着固定される。
【００３９】
こうしてベース１０にベースカバー５０が装着されると、ベース１０の２つの孔１３とベースカバー５０の２つの孔５３が、レンズ群８０の光軸方向に並ぶ。この状態で、さらに、ホルダ６０の一方の孔６３を孔１３と孔５３の間に位置づけて、シャフト９０を孔１３から嵌入し、シャフト９０の下端が孔５３に嵌入するまでシャフト９０を押し込む。同様に、ホルダ６０の他方の孔６３を孔１３と孔５３の間に位置づけて、シャフト９０を孔１３から嵌入し、シャフト９０の下端が孔５３に嵌入するまでシャフト９０を押し込む。これにより、２つのシャフト９０が２つの孔６３に通されて、ホルダ６０がこれらシャフト９０に支持される。２つの孔６３の径はシャフト９０の径よりも大きいため、ホルダ６０はシャフト９０に沿って、レンズ群８０の光軸方向に移動可能となる。
【００４０】
図５（ａ）は、シャフト９０が装着されたときの組立状態を示す図である。同図に示すように、２つの磁性板３０と磁石７０との間の磁力により、ホルダ６０は、図中の点線矢印方向に力を受ける。この力により、ホルダ６０の孔６３がシャフト９０に押し付けられる。これにより、コイル２０への通電が中止されたときに、ホルダ６０が通電中止時の位置に保持されるようになる。
【００４１】
しかる後、図５（ｂ）に示すように、上方からカバー１００がベース１０に装着される。これにより、レンズ駆動装置の組み立てが完了する。
【００４２】
図６（ａ）は、図５（ｂ）のＢ−Ｂ’断面図、図６（ｂ）は、図５（ｂ）のＣ−Ｃ’断面図である。また、図６（ｃ）は、図６（ａ）の右側部分の拡大図である。なお、同図には、レンズ群８０の図示が省略されている。
【００４３】
図６（ｂ）に示すように、ホームポジションにおいて、ホルダ６０は、ベースカバー５０の上に乗っている。この状態から、ホルダ６０は、シャフト９０に沿って、同図上方向に移動可能である。この移動の際、ホルダ６０の最上部は、ベース１０の開口１２を通る。また、磁石７０は、ベース１０の切欠き１４を通る。同図（ｃ）のように、磁石７０の上には、切欠き１４によるスペースＳが存在する。ホームポジションからホルダ６０が移動すると、磁石７０はこのスペースＳを通る。
【００４４】
図７は、レンズ駆動装置の駆動動作を説明する図である。この図は、図５（ｂ）のＢ−Ｂ’断面を模式的に示す図である。なお、図中、円に黒点のマークおよび円にバツのマークは、電流が流れる方向を示す。円に黒点のマークは図面参照者に向かってくる方向を示し、円にバツのマークは図面参照者から遠ざかる方向を示す。また、同図には、レンズ８１〜８４が破線により模式的に示されている。
【００４５】
図示のように、コイル２０の上段部分には、磁石７０のＮ極の領域が対向し、下段部分には、磁石７０のＳ極の領域が対向している。コイル２０に図７（ａ）に示す方向の電流が流れると、磁石７０に図の上方向の推進力が作用し、ホルダ６０は図の上方向に変位する。これにより、ホルダ６０は、同図（ｂ）に示すように、上方向に変位する。この状態で、電流の印加が中止されると、ホルダ６０は、磁性板３０、３０と磁石７０との間の磁力によってシャフト９０に押し付けられ、電流印加中止時の位置に保持される。また、図７（ｂ）の状態において、コイル２０に逆方向の電流が印加されると、ホルダ６０は下方向に変位される。
【００４６】
このようにして、ホルダ６０が上方向と下方向に変位されることにより、レンズ群８０がオンフォーカス位置に位置づけられる。なお、ホルダ６０のホームポジションは、図６（ｂ）に示すように、ホルダ６０がベースカバー５０に載置される位置である。
【００４７】
図８は、上記構成のレンズ駆動装置を搭載するカメラモジュールの概略構成を示す図である。図中、１がレンズ駆動装置である。
【００４８】
ベースカバー５０の下方には、イメージセンサ２０１が装着された回路基板２００が配されている。また、ベース１０には、位置センサとしてホール素子１１０が配され、ホール素子１１０からの信号をもとにホルダ６０の位置検出が行われる。
【００４９】
フォーカス動作時、ＣＰＵ（Central Processing Unit）３０１は、ドライバ３０２を
制御して、ホルダ６０をホームポジションから予め定められた位置までレンズの光軸方向に変位させる。このとき、ホール素子１１０からの位置検出信号がＣＰＵ３０１に入力される。同時に、ＣＰＵ３０１は、イメージセンサ２０１から入力される信号を処理して撮像画像のコンストラスト値を取得する。そして、このコンストラスト値が最良となるホルダ６０の位置をオンフォーカス位置として取得する。
【００５０】
その後、ＣＰＵ３０１は、取得したオンフォーカス位置に向けてホルダ６０を駆動する。その際、ＣＰＵ３０１は、ホール素子１１０からの信号をモニタし、ホール素子１１０からの信号がオンフォーカス位置に対応する状態になるまで、ホルダ６０を駆動する。これにより、ホルダ６０がオンフォーカス位置に位置づけられる。
【００５１】
以上、本実施の形態によれば、図４を参照して説明したように、突起１８にコイル２０の端部２０ａ、２０ｂを巻き付けた後に、コイル２０の端部２０ａ、２０ｂとプリント基板４０の電極４０ａ、４０ｂとが重なる位置に半田２１を付けることにより、コイル２０の端部２０ａ、２０ｂが電極４０ａ、４０ｂに接続される。ここで、突起１８は、ベース１０に一体的に形成されるため、コイル２０の端部２０ａ、２０ｂを突起１８に巻き付けるときに揺れることはなく、コイル２０の端部２０ａ、２０ｂを円滑に突起１８に巻き付けることができる。また、プリント基板４０をベース１０の側面に形成された凹部１６に接着固定することで電極が構成されるため、ピンを孔に嵌めて電極とする場合に比べ、電極の機械的強度を高めることができる。
【００５２】
なお、上記実施の形態のように、凹部１６にプリント基板４０を嵌め込むようにすると、プリント基板４０を適正な位置に、容易かつ強固に、取り付けることができ
また、本実施の形態によれば、半田２１が付された後に、突起１８が切り取られるため、ベース１０の下面を平面にすることができる。よって、ベース１０の下面またはベース１０に下方に配置される部材に突起１８を逃がすための切欠き等を形成しなくとも、この部材をベース１０の下面に円滑に配置することができる。
【００５３】
また、本実施の形態によれば、図４（ｄ）に示すように、突起１８とともに、半田２１
からはみ出したコイル２０の端部２０ａ、２０ｂが切り取られるため、半田２１からはみ出した端部２０ａ、２０ｂが他の部材に接触し、あるいは、引っかかるようなことが生じない。
【００５４】
なお、本実施の形態のように、ベース１０の下面から突出するように突起１８を形成すると、たとえばニッパー等のジグをベース１０の下面に沿わせることで、突起１８をベース１０の下面からはみ出さないように、容易に切り取ることができる。
【００５５】
さらに、本実施の形態によれば、図４（ｂ）に示すように、上段のコイル２０の端部２０ａが突起１５ａに引っ掛けられて突起１８へと案内されるため、当該端部２０ａを突起１８に巻き付ける際の作業性を向上させることができる。なお、ここでは、上段のコイル２０は同図左から右の方向に巻き付けられている。
【００５６】
以上、本発明の実施の形態について説明したが、本発明は、上記実施の形態に何ら制限されるものではなく、また、本発明の実施形態も上記以外に種々の変更が可能である。
【００５７】
たとえば、上記実施の形態では、コイル２０の端部２０ａ、２０ｂを突起１８に巻き付けたが、たとえば、図９（ａ）に示すように、突起１８の先端にスリット１８ａを設け、このスリット１８ａに端部２０ａ、２０ｂを挟み込むことで、端部２０ａ、２０ｂを突起１８に留めるようにしても良い。あるいは、図９（ｂ）に示すように、突起１８に鉤部１８ｂを設け、この鉤部１８ｂに引っ掛けることで、端部２０ａ、２０ｂを突起１８に留めるようにしても良い。
【００５８】
また、突起１８の位置は、上記実施の形態に限られず、突起１８の端部２０ａ、２０ｂを留めることにより端部２０ａ、２０ｂがそれぞれ電極４０ａ、４０ｂに交差するような位置であれば、他の位置であっても良い。
【００５９】
また、上記実施の形態では、突起１８をベース１０の下面から下方向に突出させたが、突起１８を、ベース１０の下面または側面から、側面に垂直な方向に突出させても良い。ベース１０の側面から突起１８を突出させる場合、たとえば、プリント基板４０の上下方向（光軸方向）の寸法を凹部１６の上下方向（光軸方向）の寸法よりも小さくして、凹部１６の下部がプリント基板４０によって覆われないようにし、この下部から突起１８を突出させるようにする。
【００６０】
また、上記実施の形態では、ベース１０にベースカバー５０を装着するため、突起１８を切断するようにしたが、ベースカバー５０に突起１８を逃がすための切欠きを形成する等、突起１８が他の部材の邪魔にならなければ、突起１８を切断しない形態も取られ得る。同様に、半田２１からはみ出したコイル２０の端部２０ａ、２０ｂを切断しない形態も取られ得る。
【００６１】
また、上記実施の形態では、ホルダ６０の一つの側面には一つの磁石７０が配されたが、各側面に２つ以上の磁石を配置するようにしても良い。また、磁石７０は、ホルダ６０の外周に沿うような円弧形状のものを用いても良い。この場合、磁石装着部６４も円弧状に形成される。また、ベース１０も、コイル２０が円形に巻かれるように形成される。
【００６２】
また、上記実施の形態では、２つの磁性板３０、３０をベース１０に配置するようにしたが、１つまたは３つ以上の磁性板をベース１０に配置するようにしても良い。ただし、この場合も、上記実施の形態と同様、磁石と磁性板との間に生じる磁力がレンズの光軸に垂直な面内においてアンバランスとなるように、磁性板が配置されるのが望ましい。
【００６３】
また、上記実施の形態では、レンズ群８０が直接ホルダ６０に装着されたが、レンズ群８０を保持したレンズバレルをホルダに装着することで、レンズ群をホルダに装着するようにしても良い。
【００６４】
さらに、ベース１０やホルダ６０等の形状も、上記に限られるものではなく、適宜変更が可能である。また、２本のシャフト９０の径は同じでなくても良く、シャフト以外のガイド機構によって、ホルダ６０がレンズの光軸方向に案内されるようにしても良い。さらに、磁石７０の個数も、上記に限られるものではない。
【００６５】
この他、本発明の実施の形態は、特許請求の範囲に示された技術的思想の範囲内において、適宜、種々の変更が可能である。
【符号の説明】
【００６６】
１  …  レンズ駆動装置
１０  …  ベース
１６  …  凹部
１８  …  突起
２０  …  コイル
２１  …  半田
４０  …  プリント基板（基板）
４０ａ、４０ｂ  …  電極
６０  …  ホルダ
７０  …  磁石
９０  …  シャフト
【図１】
2012002837.tif 000003
【図２】
2012002837.tif 000004
【図３】
2012002837.tif 000005
【図４】
2012002837.tif 000006
【図５】
2012002837.tif 000007
【図６】
2012002837.tif 000008
【図７】
2012002837.tif 000009
【図８】
2012002837.tif 000010
【図９】
2012002837.tif 000011